【手続補正書】
【提出日】平成29年3月1日(2017.3.1)
【手続補正１】
【補正対象書類名】特許請求の範囲
【補正対象項目名】全文
【補正方法】変更
【補正の内容】
【特許請求の範囲】
【請求項１】
マルチメディアプレゼンテーションシステムであって、
視聴者の支援を受けないデータ入力を含むデータを、前記視聴者の自然な助力なしの検知範囲内から収集するように動作可能な入力サブシステムと、
複数のストレージデバイスを備える記憶サブシステムであって、前記支援を受けないデータ入力を含む前記データを、プリファレンスに関連付けられるようにして該記憶サブシステムに記憶するように動作可能な記憶サブシステムと、
前記プリファレンスに従ってマルチメディアプレゼンテーションを選択的に表示するように動作可能であるサーバサブシステムと
を含んでなる、マルチメディアプレゼンテーションシステム。
【請求項２】
前記プリファレンスは前記視聴者の関心を最も引くように表示される、請求項１に記載のマルチメディアプレゼンテーションシステム。
【請求項３】
前記プリファレンスは、広告戦略に使用される特徴を含む、請求項１に記載のマルチメディアプレゼンテーションシステム。
【請求項４】
前記複数の記憶サブシステムは、中央記憶サブシステムに対して統計的なパラダイムにおいて配置される、請求項１に記載のマルチメディアプレゼンテーションシステム。
【請求項５】
前記複数の記憶サブシステムは、中央記憶サブシステムに対して釣鐘曲線の正規分布において配置される、請求項１に記載のマルチメディアプレゼンテーションシステム。
【請求項６】
前記視聴者の前記支援を受けないデータ入力は、前記視聴者が能動的な入力を提供することなく、前記視聴者から収集されたデータである、請求項１に記載のマルチメディアプレゼンテーションシステム。
【請求項７】
前記視聴者の前記支援を受けないデータ入力は、前記視聴者が能動的な入力を提供することなく、前記視聴者の環境から収集されたデータである、請求項１に記載のマルチメディアプレゼンテーションシステム。
【請求項８】
前記マルチメディアプレゼンテーションシステムは、キオスク、取引デバイス、自動販売機、小売店のディスプレイ、装飾物、マネキン、動物の世話システム、又は電話システムに組み込まれる、請求項１に記載のマルチメディアプレゼンテーションシステム。
【請求項９】
前記マルチメディアプレゼンテーションシステムは、生物を関与させるように物体を移動させる、請求項１に記載のマルチメディアプレゼンテーションシステム。
【請求項１０】
データは、能動的な入力を通して前記視聴者からも受信される、請求項１に記載のマルチメディアプレゼンテーションシステム。
【請求項１１】
前記マルチメディアプレゼンテーションシステムは、前記マルチメディアプレゼンテーションに加えて、物品又はサービスを分配するように動作可能である、請求項１に記載のマルチメディアプレゼンテーションシステム。
【請求項１２】
前記マルチメディアプレゼンテーションシステムは、少なくとも１つの更なるマルチメディアプレゼンテーションシステムと通信するように動作可能である、請求項１に記載のマルチメディアプレゼンテーションシステム。
【請求項１３】
前記データは遠隔デバイスから受信される、請求項１に記載のマルチメディアプレゼンテーションシステム。
【請求項１４】
前記サーバサブシステムは、データ入力から言葉又は物体を検出し、前記記憶サブシステムから少なくとも１つの言葉又は物体を決定し、該少なくとも１つの言葉又は物体を含む前記入力サブシステムから追加データを選択し、該追加データを前記プレゼンテーションに統合するように動作可能である、請求項１に記載のマルチメディアプレゼンテーションシステム。
【請求項１５】
前記サーバサブシステムは、統計モデルを用いて、前記プリファレンスに従って前記マルチメディアプレゼンテーションとして表示するためのデータの選択を調整する、請求項１に記載のマルチメディアプレゼンテーションシステム。
【請求項１６】
前記サーバサブシステムは、統計モデルを用いて、データの前記マルチメディアプレゼンテーションを調整する、請求項１に記載のマルチメディアプレゼンテーションシステム。
【請求項１７】
前記サーバサブシステムは、統計モデルを用いて、前記統計モデルを調整する、請求項１に記載のマルチメディアプレゼンテーションシステム。
【請求項１８】
前記サーバサブシステムは、視聴者が存在しないときに、前記データストレージをリフレッシュする、請求項１に記載のマルチメディアプレゼンテーションシステム。
【請求項１９】
前記サーバサブシステムは、認識ソフトウェアを組み込む、請求項１に記載のマルチメディアプレゼンテーションシステム。
【請求項２０】
前記サーバサブシステムは、別々の視聴者間の関係を記録する認識ソフトウェアを組み込む、請求項１に記載のマルチメディアプレゼンテーションシステム。
【請求項２１】
前記サーバサブシステムは、ターゲットプレゼンテーションに最も相反する前記視聴者のうちの１つを識別する認識ソフトウェアを組み込む、請求項１に記載のマルチメディアプレゼンテーションシステム。
【請求項２２】
前記サーバサブシステムは、前記ターゲットプレゼンテーションに最も相反する前記視聴者に関連付けられるデータを解析し、選択し、記録し、提示するように動作可能である、請求項２１に記載のマルチメディアプレゼンテーションシステム。
【請求項２３】
前記サーバサブシステムは、ターゲットプレゼンテーションに最も適切な特徴をもつ前記視聴者のうちの１つを識別する認識ソフトウェアを組み込む、請求項１に記載のマルチメディアプレゼンテーションシステム。
【請求項２４】
前記サーバサブシステムは、前記ターゲットプレゼンテーションに最も一致する前記視聴者に関連付けられるデータを解析し、選択し、記録し、提示するように動作可能である、請求項２３に記載のマルチメディアプレゼンテーションシステム。
【請求項２５】
前記サーバサブシステムは、移動するか、最も速く移動するか、飛行するか、視野の最も大きなパーセンテージを占有するか、設定サイズを超えるか、又は特定の目立つパターン若しくは色を有する物体を識別するように動作可能である、請求項１に記載のマルチメディアプレゼンテーションシステム。
【請求項２６】
前記サーバサブシステムは、前記マルチメディアプレゼンテーションシステムの前記応答型及び創造型マルチメディアプレゼンテーションデバイスを通して与えられるようなプレゼンテーションを記録し、検索するように動作可能である、請求項１に記載のマルチメディアプレゼンテーションシステム。
【請求項２７】
前記検索されたプレゼンテーションは該プレゼンテーションに関与した前記視聴者に関連付けられる、請求項２６に記載のマルチメディアプレゼンテーションシステム。
【請求項２８】
前記視聴者は、第２のマルチメディアプレゼンテーションシステムを通して別の場所において前記データを視聴することができるか否かを選択することができる、請求項１に記載のマルチメディアプレゼンテーションシステム。
【請求項２９】
前記視聴者は、第２のマルチメディアプレゼンテーションシステムを通して別の場所にいる別の視聴者を視聴することを選択することができる、請求項１に記載のマルチメディアプレゼンテーションシステム。
【請求項３０】
前記入力サブシステムは、投票、質問表、選択肢又は試験回答を取り込み、データの選択、解析、記憶及び提示において前記サーバサブシステムを更に指示するように動作可能である、請求項１に記載のマルチメディアプレゼンテーションシステム。
【請求項３１】
前記サーバサブシステムは、経時的に、又はグループと比較して、ある視聴者の生理的変化又は心理的変化を識別するように動作可能であり、そのように識別することによって、前記サーバサブシステムは、データの選択、記憶及び提示を調整できるようになる、請求項１に記載のマルチメディアプレゼンテーションシステム。
【請求項３２】
前記サーバサブシステムは、データを探索するように動作可能であり、前記データはニュース又は他の形で設定時刻以降に生成されたデータである、請求項１に記載のマルチメディアプレゼンテーションシステム。
【請求項３３】
前記サーバサブシステムは、個々の視聴者又は生物の数をカウントし、そのカウントに応答して、応答型及び創造型のマルチメディアプレゼンテーションを調整するように動作可能である、請求項１に記載のマルチメディアプレゼンテーションシステム。
【請求項３４】
前記マルチメディアプレゼンテーションシステムは、セキュリティシステムに組み込まれる、請求項１に記載のマルチメディアプレゼンテーションシステム。
【請求項３５】
前記マルチメディアプレゼンテーションシステムは、生物用のマルチメディアプレゼンテーションシステムに組み込まれる、請求項１に記載のマルチメディアプレゼンテーションシステム。
【請求項３６】
前記マルチメディアプレゼンテーションシステムは、設定期間中にアクティブである、請求項１に記載のマルチメディアプレゼンテーションシステム。
【請求項３７】
前記マルチメディアプレゼンテーションシステムは、所定の時間内のみアクティブである、請求項１に記載のマルチメディアプレゼンテーションシステム。
【請求項３８】
マルチメディアプレゼンテーションシステムを表示する方法であって、
視聴者の支援を受けないデータ入力を含むデータを、前記視聴者の自然な助力なしの検知範囲内から収集するステップと、
前記支援を受けないデータ入力を含む前記データを、プリファレンスに関連付けられるようにして記憶サブシステムに記憶するステップと、
前記プリファレンスに従ってマルチメディアプレゼンテーションを表示するステップと
を含んでなる、マルチメディアプレゼンテーションシステムを表示する方法。
【請求項３９】
前記記憶サブシステムは、中央記憶サブシステム及び補助ストレージに対して統計分布において配置されており、釣鐘曲線の正規分布、傾斜分布又は二峰性分布を含む、請求項３８に記載の方法。
【請求項４０】
前記支援を受けないデータ入力を収集するステップは、前記視聴者の前記自然な助力なしの検知範囲内の最も目立つパターン、色又は物体を含む、請求項３８に記載の方法。
【請求項４１】
前記支援を受けないデータ入力を収集するステップは、前記視聴者の最も目立つパターン、色又は物体を含む、請求項３８に記載の方法。
【請求項４２】
前記支援を受けないデータ入力を収集するステップは、経時的に、ある視聴者の生理的変化又は心理的変化を識別するステップを含む、請求項３８に記載の方法。
【請求項４３】
前記支援を受けないデータ入力を収集するステップは、データを探索するステップを含み、前記データはニュース又は他の形で設定時間以降に生成されたデータである、請求項３８に記載の方法。
【請求項４４】
前記プリファレンスは広告戦略に関連付けられる、請求項３８に記載の方法。
【請求項４５】
前記マルチメディアプレゼンテーションシステムに前記プレゼンテーションとともにリアルタイムに統合するために、少なくとも１つの更なるマルチメディアプレゼンテーションシステムを遠隔監視するステップを更に含む、請求項３８に記載の方法。
【請求項４６】
先行する期間から準備されたプレゼンテーションを統合するステップを更に含む、請求項３８に記載の方法。
【請求項４７】
前記表示するステップにおいて、先行する期間からの入力を統合するステップ、又は、前記先行する期間に存在していなかった視聴者の前記プリファレンスを使用している先行する期間から準備されたプレゼンテーションを統合するステップを更に含む、請求項３８に記載の方法。
【請求項４８】
マルチメディアプレゼンテーションシステムであって、
視聴者の支援を受けないデータ入力を含むデータを、前記視聴者の自然な助力なしの検知範囲内から収集するように動作可能な入力サブシステムと、
複数のストレージデバイスを備える記憶サブシステムであって、前記支援を受けないデータ入力を含む前記データを、プリファレンスに関連付けられるようにして該複数のストレージデバイスに記憶するように動作可能であり、前記複数のストレージデバイスは中央記憶サブシステムに対して統計分布に配置される、記憶サブシステムと
を含んでなる、マルチメディアプレゼンテーションシステム。
【請求項４９】
前記プリファレンスに従ってディスプレイ上にマルチメディアプレゼンテーションを選択的に表示するように動作可能であるサーバサブシステムを更に備える、請求項４８に記載のマルチメディアプレゼンテーションシステム。
【請求項５０】
前記プリファレンスは前記視聴者の関心を最も引くように表示される、請求項４８に記載のマルチメディアプレゼンテーションシステム。
【請求項５１】
前記視聴者の前記支援を受けないデータ入力は、前記視聴者が能動的な入力を提供することなく、前記視聴者から収集されるデータを指している、請求項４８に記載のマルチメディアプレゼンテーションシステム。
【請求項５２】
前記複数の記憶デバイスは、データの所定の標準偏差に対応するように分離されるデータを含む、請求項４８に記載のマルチメディアプレゼンテーションシステム。
【請求項５３】
新たなデータに直面するのに応じて、前記データは前記中央記憶サブシステム内のプリファレンスと比較され、統計的に異ならない場合には、前記データは前記中央記憶サブシステムに記憶される、請求項４８に記載のマルチメディアプレゼンテーションシステム。
【請求項５４】
新たなデータに直面するのに応じて、前記データは前記中央記憶サブシステム内のプリファレンスと比較され、統計的に異なる場合には、前記データは前記複数の記憶デバイスのうちの１つに記憶される、請求項４８に記載のマルチメディアプレゼンテーションシステム。
【請求項５５】
新たなデータに直面するのに応じて、前記データは前記中央記憶サブシステム内のプリファレンスと比較され、前記新たなデータ及び前記プリファレンスが基本的な釣鐘曲線分布に従って１標準偏差未満である場合には、前記新たなデータは、前記中央記憶サブシステムに記憶される、請求項４８に記載のマルチメディアプレゼンテーションシステム。
【請求項５６】
新たなデータに直面する場合には、前記データは、該データが割り当てられている前記記憶サブシステム内に以前に記憶されたデータファイルと比較され、前記新たなデータが既に記憶されているデータファイルに統計的に類似である場合には、前記新たなデータファイルを表に入れるが、破棄することができ、又は前記新たなデータがデータセット内の最頻値、平均又は中央値のような平均値を表すことになるか、又は前記データセットの最大又は最小の代表値に関する境界を表すが、依然として前記データセット内にある場合には、前記新たなデータを保持して他の記録されたデータファイルを破棄し、表に入れてのみ保持することができる、請求項４８に記載のマルチメディアプレゼンテーションシステム。
【請求項５７】
新たなデータに直面するのに応じて、前記データは、前記統計分布とと比較され、前記比較に従って前記複数の記憶サブシステムのうちの１つに割り当てられる、請求項４８に記載のマルチメディアプレゼンテーションシステム。
【請求項５８】
前記複数の記憶サブシステムのうちの１つの内部にある統計分布の中心により近いと識別される新たなファイルは保持され、先行するファイルは前記表に入れることを除いて破棄され、前記表に入れることは、前記統計分布を調整する役割を果たす、請求項５７に記載のマルチメディアプレゼンテーションシステム。
【請求項５９】
前記正規分布は釣鐘曲線分布である、請求項４８に記載のマルチメディアプレゼンテーションシステム。
【請求項６０】
マルチメディアプレゼンテーションを表示する方法であって、
視聴者の支援を受けないデータ入力を含むデータを、前記視聴者の自然な助力なしの検知範囲内から収集するステップと、
前記支援を受けないデータ入力を含む前記データを、プリファレンスに関連付けられるようにして記憶サブシステムに記憶するステップであって、前記複数の記憶サブシステムは中央記憶サブシステムに対して釣鐘曲線の正規分布に配置される、記憶するステップと、
前記プリファレンスに従ってマルチメディアプレゼンテーションを表示するステップと
を含んでなる、マルチメディアプレゼンテーションを表示する方法。
【請求項６１】
前記記憶サブシステムは中央記憶サブシステムに対して釣鐘曲線の正規分布に配置される、請求項６０に記載の方法。
【請求項６２】
前記支援を受けないデータ入力を収集するステップは、前記視聴者の前記自然な助力なしの検知範囲内の最も目立つパターン、色又は物体を含む、請求項６０に記載の方法。
【請求項６３】
前記プリファレンスに関連付けられるデータの所定の標準偏差に対応するようにデータを分離するステップを更に含む、請求項６０に記載の方法。
【請求項６４】
新たなデータに直面するのに応じて、前記データは前記中央記憶サブシステム内のプリファレンスと比較され、統計的に異ならない場合には、前記データは前記中央記憶サブシステムに記憶される、請求項６３に記載の方法。
【請求項６５】
新たなデータに直面するのに応じて、前記データは前記中央記憶サブシステム内のプリファレンスと比較され、統計的に異なる場合には、前記データは前記複数の記憶サブシステムのうちの１つに記憶される、請求項６３に記載の方法。
【請求項６６】
新たなデータに直面するのに応じて、前記データは前記中央記憶サブシステム内のプリファレンスと比較され、前記新たなデータ及び前記プリファレンスが基本的な釣鐘曲線分布に従って１標準偏差未満である場合には、前記新たなデータは前記中央記憶サブシステムに記憶されるが保持されない、請求項６０に記載の方法。
【請求項６７】
新たなデータに直面するのに応じて、前記データは前記中央記憶サブシステム内の前記プリファレンスと比較され、前記新たなデータが１標準偏差より大きいが、２標準偏差以内だけ限界寸法に関して小さいと判断される場合には、前記格付けが前記ファイルに割り当てられ、前記複数の記憶サブシステムのうちの１つに記憶され、前記複数の記憶サブシステムのうちの前記１つは、第１の標準偏差記憶サブシステムである、請求項６０に記載の方法。
【請求項６８】
新たなファイルが、この標準偏差の中心に、より近いと識別される場合には、これらの新たなファイルは保持され、前記表に入れることを除いて、先行するファイルは破棄することができ、前記表に入れることは、前記統計分布を調整する役割を果たす、請求項６０に記載の方法。
【請求項６９】
前記中央記憶サブシステムをデフラグメントするか、又は別の方法で最適化しながら、データを記憶して合成するために、データをバックアップ記憶サブシステムに記憶するステップを更に含む、請求項６０に記載の方法。
【請求項７０】
マルチメディアプレゼンテーションシステムであって、
支援を受けないデータ入力を含むデータを、プリファレンスに関連付けられるようにして記憶するように動作可能な複数のストレージデバイスを備える記憶サブシステムと、
前記プリファレンスに従ってマルチメディアプレゼンテーションをディスプレイ上に選択的に表示するように動作可能なサーバサブシステムと
を含んでなる、マルチメディアプレゼンテーションシステム。
【請求項７１】
視聴者の支援を受けないデータ入力を含むデータを収集するように動作可能な入力サブシステムを更に備える、請求項７０に記載のマルチメディアプレゼンテーションシステム。
【請求項７２】
前記視聴者の前記支援を受けないデータ入力は、前記視聴者が能動的な入力を提供することなく、前記視聴者から収集されたデータを指している、請求項７１に記載のマルチメディアプレゼンテーションシステム。
【請求項７３】
前記複数の記憶サブシステムは、中央記憶サブシステムに対して釣鐘曲線の正規分布に配置される、請求項７０に記載のマルチメディアプレゼンテーションシステム。
【請求項７４】
前記マルチメディアプレゼンテーションシステムは、複数のマルチメディアプレゼンテーションシステムのうちの１つである、請求項７０に記載のマルチメディアプレゼンテーションシステム。
【請求項７５】
マルチメディアプレゼンテーションシステムであって、
視聴者の支援を受けないデータ入力を含むデータを、該視聴者の自然な助力なしの検知範囲内から収集するように動作可能な入力デバイスと、
複数のストレージデバイスであって、前記支援を受けないデータ入力を含む前記データを、プリファレンスに関連付けられるようにして記憶サブシステムに記憶するように動作可能な複数のストレージデバイスと、
前記プリファレンスに従う刺激を選択的に出力するように動作可能であるサーバと、
ある視聴者に知覚可能な刺激を与える出力デバイスと
を含んでなる、マルチメディアプレゼンテーションシステム。
【請求項７６】
人間又は動物に知覚可能な刺激を表示するハードウェアであって、
視聴者の支援を受けないデータ入力を含むデータを、該視聴者の自然な助力なしの検知範囲内から収集するように動作可能な入力センサと、
複数のストレージデバイスであって、前記支援を受けないデータ入力を含む前記データを、プリファレンスに関連付けられるようにして記憶するように動作可能な複数のストレージデバイスと、
前記プリファレンスに従う刺激を選択的に出力するソフトウェアと、
ある視聴者に知覚可能な刺激を与える出力デバイスと
を含んでなる、ハードウェア。
【請求項７７】
前記記憶サブシステムは、前記システムの管理者又はプロバイダによって与えられる、データ、原型又は組織の企画を含む、請求項１に記載のマルチメディアプレゼンテーションシステム。
【請求項７８】
前記入力サブシステムは、コントロールパネルを含み、該コントロールパネルは、管理者、プロバイダ又は視聴者がデータ又は組織を入力することができるか、又は、気に入った物体又は刺激を選択することができる、請求項１に記載のマルチメディアプレゼンテーションシステム。
【請求項７９】
前記システムは、タイミングデバイス若しくはアラームに組み込まれているか、又は、家庭用電化製品若しくは製造機械に組み込まれている、請求項１に記載のマルチメディアプレゼンテーションシステム。
【請求項８０】
前記システムは、インターネット、通信媒体又は遠隔接続を通じて、管理され、制御され、調整され、監視されている、請求項１に記載のマルチメディアプレゼンテーションシステム。
【請求項８１】
前記入力サブシステムは、ルーチンを開始若しくは調整するために、ターゲット物体、視聴者若しくは視聴者の関係性を特定するために、又は、プリファレンスを決定するために、近接したセンサ又は割込みデバイスを更に含む、請求項１に記載のマルチメディアプレゼンテーションシステム。
【請求項８２】
前記視聴者の支援を受けないデータ入力は、教示、助言、指示、表示又は解析を容易にするために、別の視聴者又はデータ入力と比較される、請求項３８に記載の方法。
【請求項８３】
前記サーバサブシステムは、前記記憶サブシステムから関連する言葉又は物体を決定し、関連する言葉又は物体を含む前記遠隔デバイスから追加データを選択し、前記追加データを前記プレゼンテーションに統合するために、データ入力から前記言葉又は前記物体を検出するように動作可能なものである、請求項１３に記載のマルチメディアプレゼンテーションシステム。